(57)【要約】 【課題】浴室で使用する筆記体としては、インクを完全な液体として考え、入浴剤成分に有機溶媒や粘着剤等の添加物を加えた特殊なものを必要としており、またインクとなる液体は、あらかじめ製造工程で容器内に封入されたものであり、好みの粉末状入浴剤を使用することは不可能である。また、調理時に文字を書く方法としては、ヒーターにより溶かした液を自由落下で垂らす方法等が採られていたが、一般の筆記具で書くような繊細な文字を書くことは難しかった。【解決手段】筆記体の外形、外寸を一般的な太目の筆記体と同程度とし、利用者が特殊液等を入れるケースＡ部と、加圧構造、ストッパから構成されるケースＢとを結合させ、特殊液等に圧力を付加し、ケースＡ先端の回転自在かつケースＡ内への移動可能としたボールを硬い平面に押し当てることで、ケースＡ吐出口とボールとの間に隙間を生じさせ特殊液等を塗布する。【選択図】  図１
2011152722.tif 000002
【特許請求の範囲】
【請求項１】
水に対し溶融性を持つ粉末状物質と水からなる特殊液を、あるいは水よりも粘性の高い液体を入れる収容部であるケースＡ部と、コイルばね及びピストンによるケースＡ部収容部内の特殊液等への加圧構造と、その加圧力を保持または開放するためにピストンの一部と係合して配置されるストッパから構成されるケースＢ部との二つのケース部からなり、両者を結合して使用するもので、ケースＡ部先端の吐出口より加圧状態の特殊液等を塗布することを特徴とする特殊液用筆記体。
【請求項２】
請求項１記載の吐出口内部に回転自在かつケースＡ部軸方向でケースＡ部内に、その移動量を制限する受け座まで移動可能な弾力性を持ったボールを配置し、筆圧により生じる吐出口とボールとの粉末状物質の粒子径よりも大きな隙間、あるいは単純に吐出口とボールとの隙間より、加圧状態の特殊液等を特徴とする請求項１に記載の特殊液用筆記体。
【請求項３】
請求項1記載の粉末状物質を粉末状入浴剤としたことを特徴とする、請求項１または２に記載の構造を持つ浴室用筆記体。
【請求項４】
請求項1記載の特殊液あるいは水よりも粘性の高い液体を小麦粉を溶かした水溶液や卵黄といった食材としたことを特徴とする、請求項１または２に記載の構造を持つ調理用筆記体。
【発明の詳細な説明】
【技術分野】
【０００１】
この発明は、完全な液体のみでなく固体である粉末状物質を含んだ特殊液をも塗布することを可能とした筆記体であり、インクの材料として使う粉末状物質を粉末状入浴剤としたときは、入浴時に浴室内のどこにでも文字や絵を書くことができ、また、インクの材料を小麦粉水溶液や卵黄といった食材を用いたときは、調理の際の飾りやメッセージとして繊細な文字や絵を書くことができることに関するものである。          
【背景技術】
【０００２】
粉末状物質を含んだ特殊液を塗布する筆記体というものは、従来技術として皆無である。
浴室用筆記体の一例としては、容器内にあらかじめ流動性を持たせた入浴剤を封入したマーカーペンがある（特許文献１参照)。他にはフエルト等の芯部でインクを吸い上げる一般の油性ペンの構造で、入浴剤を主成分として粘性や色を付加させるために他の成分を加え調整したインクを使った筆記具もある（特許文献２参照）。また、インク収容部の前端にボール等の弁機構を有しコイルばね等を用いた加圧機構によりインクの吐出安定性を高める構造の塗布具がある（特許文献３参照）。
調理用筆記体の一例としては、菓子用のもので、固形チョコレートをヒーターにより溶かし、先端のノズルから垂らして文字等を書くペンがある（特許文献４参照）。
【先行技術文献】
【特許文献】
【０００３】
【特許文献１】特開２００１−１５８１９５号広報
【特許文献２】特許第４３３３３２３号広報
【特許文献３】特開平１０−３２４８３７号広報
【特許文献４】実開昭６２−１６２９７９号広報
【発明の概要】
【発明が解決しようとする課題】
【０００４】
しかし、従来技術では浴室で使用する筆記体として、インク塗布方法がボールペンと同様、液体を流出させるのに必用な分の筆記体吐出口とボールとの隙間を設けていたり、フエルト等の芯を使用した毛細管現象を利用したものであったりとインクを完全な液体として考えており、市販の入浴剤の飽和水溶液では粘度、色の濃度が不十分であることから、インクとして使用するために入浴剤成分を溶解するための有機溶媒や粘度を上げるための粘着剤等の添加物を必要とする特殊なものを用いるため、浴槽内に流入した際には純粋な入浴剤成分のみによる効能である爽快感やくつろぎ感等が減少される。また従来技術では、いずれもインクとなる液体をあらかじめ製造工程で容器内に封入したものであり、毎日の気分によって好みの入浴剤を使いたいといった場合、インクとなる液体を変えることは不可能であった。
調理時に文字を書く方法としては、従来技術で記したヒーターにより溶かした液体を自由落下で垂らす方法のほかに手で液体が入ったチューブ状の容器をしぼり、液体を出す方法または、直線状に細く切った食材を組み合わせて料理上にのせるという方法が採られていたが、一般の筆記具で書くような繊細な文字を書くことは難しかった。
【課題を解決するための手段】
【０００５】
本発明は、外形、外寸を一般的な太目の筆記体と同程度とし、二分割された本体ケースのうち先端側のケースＡ内に、利用者が浴室用として使う場合は、粉末状入浴剤と水を、調理用として使う場合は液状あるいは粉体混じりの液状の食材を入れ、コイルばね及びピストンによる特殊液を含む液体への加圧構造とコイルばねの圧縮力を保持または開放するためにピストンの一部と係合して配置されるストッパから構成されるケースＢとを結合させて使用するものであり、ストッパを開放して特殊液を含む液体に圧力を付加し内圧を高めた状態で、浴室用として使う場合は本体を軽く振って粉末状入浴剤と水を混ぜ流動性と粘着性を与え、エラストマー、ゴム等の素材でできたペン先（ボール）を硬い平面に押し当てることでボールが後退し、ボールとケースＡ吐出部とのあいだに粉末状物質を含んだ液体ではその粒子の径以上の隙間を生じさせ加圧されていた特殊液を含む液体を塗布することを要旨とする。
【発明の効果】
【０００６】
以上の手段により、人体、浴槽、タイルなどの浴室面に影響のない粉末状入浴剤の粒子の混ざった液体を浴槽、タイルなどの浴室面である被筆記体に塗布することができ、手軽で安全に明瞭な濃い線で浴室内のどこにでも文字や絵を描くことが可能となり、また、水をかけることで消去することも容易となる。
従って浴槽にゆっくりつかりながら、浴槽の湯から上の浴槽内側垂直面に書くことも可能となる。また、利用者がインクとして使う粉末状入浴剤を入れることができるので、好みの色や香りのものを自由に代えることができ、何度でも繰り返し使用することが可能となる。
また、ケースＡ内に入れる液体として、卵黄や小麦粉を水で溶かした液体といった粘性の高い、あるいは粉体混じりの液状の食材を用いて、被筆記体をフライパンとすることで、一般の筆記体同様の使用感で繊細な文字を書くことが可能となり、料理やお弁当、お皿の上にのせる飾りやメッセージとしての文字や絵を繊細なものとできる効果がある。
【図面の簡単な説明】
【０００７】
【図１】本発明の縦断面図
【図２】本発明の斜視図
【図３】ケースＡ部に粉末状入浴剤と水を入れた状態の縦断面図
【図４】ケースＢ部コイルばねセット前の縦断面図
【図５】ケースＢ部コイルばねセット後の縦断面図
【図６】ストッパなどの変形例を示すストッパ、ピストン係合部横断面図
【図７】液体に圧力が加わった時のケースＡ部先端縦断面拡大図
【図８】ボールが硬い平面に押し当てられたときのケースＡ部先端縦断面拡大図
【図９】液体への加圧終了時の縦断面図
【発明を実施するための形態】
【０００８】
以下に本発明の実施形態を詳しく説明する。
【実施例１】
【０００９】
図1は、本発明の第1の実施例を示す縦断面図であって、一般の太目の筆記体と同等の外形、外寸を持ち、特殊液等を入れるケースＡ１の部分（ケースＡ部：符号１から３）と、加圧機構を備えたケースＢ４の部分（ケースＢ部：符号４から８）に分かれるようになっている。ケースＡ１の先端には、被筆記体を傷付けず、また、筆記時の被筆記体との滑りを抑える目的からエラストマーやゴムといった弾性体でできたボール２がある。ボール２は回転自在でかつ硬い平面１０に押し当てた際に、ケースＡ１の吐出口１２との間に隙間を生じさせ粉末状入浴剤の粒子が混ざった液体を塗布するために、ケースＡ１内軸方向に粉末状入浴剤粒子の径以上である０から０．５ｍｍ程度もぐり込むよう移動が可能になっており、受け座３によりその移動量は制限されている。また、受け座３には中心軸部のみでなく複数の特殊液等の流路があることが望ましい。
【００１０】
ケースＢ４内部には、コイルばね５が取り付けられ、コイルばね５のもう一端にはピストン６が取り付けられている。ピストン６のもう一端にはパッキン７がはめ込まれ、ケースＡ１の円筒形部内壁と摺動自在に配置されている。パッキン７の代わりにＯリングを用いた構造としても良い。また、ケースＢ４外部にはストッパ８が支点９を中心に回転可能に取り付けられており、セット時には圧縮させたコイルばね５の力をストッパ、ピストン係合部１４にて保持する構造になっている。
【００１１】
図２は、本発明の斜視図を示す。図３は、ケースＡ部を垂直に保持して粉末状入浴剤１０と水１１を入れた状態を示す。図４は、コイルばね５が自由長であるケースＢ部のセット前の状態を示す。図５は、コイルばね５を圧縮し、ストッパ８の先端部をピストンの円板状端部１５と係合させて圧縮力を保持したケースＢ部のセット後の状態を示す。ここでコイルばね５の代わりにスポンジ等の弾性体を用いても良い。そして、図３のケースＡ部に図５のケースＢ部を螺合させる。ここでケースＡ部とケースＢ部の結合は、ねじ式に限らずコイルばね５の力がケースＡ部とケースＢ部を分離させようとする力以上の保持力が確保でき、ケースＡ部とケースＢ部との結合、分離の繰り返しが容易で耐久性があれば、一般的などのような方法でも良い。ストッパ８の後端部を押下することで、ピストン６とストッパ８との係合部１４が外れ、保持されていたコイルばね５の圧縮力が開放されピストン６およびパッキン７を介して特殊液に圧力を与える。また、ストッパ８の代わりに図６で示すように本体の横断面方向に支点１７で回転可能としたストッパ１６をピストンの円板状端部１５と係合させる方法でも良い。
【００１２】
その後に、全体を軽く振って入浴剤と水を混ぜ合わせ、入浴剤粒子に流動性および粘着性を持たせる。図６は特殊液にコイルばね等による圧力が加わった時のケースＡ部先端の縦断面拡大図を示す。この状態では、ケースＡ１の先端の吐出口１２は、ボール２で塞がれ液体は流出しない。図７は硬い平面１３にボール２を押し当てたところで、ボール２とケースＡ１の吐出口１２との間に生じた隙間から、融けきらない粉末状入浴剤１０の粒子が水１１とともに硬い平面１３に塗布される状態を示す。ボール２を硬い平面１３から離すと、特殊液の圧力によりボール２はケースＡ１の吐出口１２に隙間なくはまり特殊液の流出は止まる。以上の動作により、浴室内の硬い平面であればどこにでも文字や絵を書くことが可能となる。図８はピストン６端部のパッキン７が受け座３に当たり、特殊液への加圧が終了した状態を示す。
【００１３】
以上のように第１の実施例によれば、浴室内の硬い平面部であればどこにでも手軽に安全に明瞭で濃い線の文字や絵が書け容易に消すことができ、人体や浴槽、タイルなどの浴室面に影響がなく、日々の気分等により粉末状入浴剤を入れ替えて、繰り返し利用することが可能な浴室用筆記体を提供できる。
【実施例２】
【００１４】
この発明の第２の実施例は、第１の実施例が浴室用の筆記体としてのものであったのに対し、調理用筆記体としてのものである。発明の構成については、第１の実施例とまったく同じであるが、使用する特殊液等は、あらかじめ小麦粉を水で溶かした水溶液や卵黄といった粘性が高く熱によって固化する食材である。したがって、第１の実施例の動作の説明の中にあるケース内に特殊液の材料を入れ、加圧後に軽く振る（混ぜる）という工程は不要である。本実施例では被筆記体はフライパンといった加熱調理器具であり被筆記体が水平の状態で使用するもので、第１の実施例同様その硬い平面１３にペン先のボール２を押し当てて特殊液等を流出させ、文字や絵などを書いた後に加熱し固化させた後、被筆記体よりはがして利用する。
【００１５】
以上のように第２の実施例によれば、一般の筆記体と同様の使用感で液状の食材を流出させることができるため、料理やお弁当、お皿の上にのせる飾りやメッセージとしての絵や文字を繊細なものとできる効果がある。また、第２の実施例では、常温は液体で加熱により固化する食材に限定したが、チョコレート等の食材で加熱により液状にしたものを本発明の特殊液等に使用し文字等を書いた後、冷やして固化させるという利用法もある。さらにデザート等のソースを本発明の特殊液等に使用し、皿の上に文字や模様を書くという利用法もある。
【産業上の利用可能性】
【００１６】
浴室内のどこにでも安全に文字や絵を書くことのできる浴室用筆記体。
料理やお皿の上に液状の食材を使ってのせる文字や絵を繊細なものとできる調理用筆記体。
【符号の説明】
【００１７】
１   ケースＡ
２   ボール
３   受け座
４   ケースＢ
５   コイルばね
６   ピストン
７   パッキン
８   ストッパ
９   支点
１０ 粉末状入浴剤
１１ 水
１２ 吐出口
１３ 硬い表面
１４ ストッパ、ピストン係合部
１５ ピストンの円板状端部
１６ ストッパ
１７支点
【図１】
2011152722.tif 000003
【図２】
2011152722.tif 000004
【図３】
2011152722.tif 000005
【図４】
2011152722.tif 000006
【図５】
2011152722.tif 000007
【図６】
2011152722.tif 000008
【図７】
2011152722.tif 000009
【図８】
2011152722.tif 000010
【図９】
2011152722.tif 000011
【手続補正書】
【提出日】平成22年2月22日(2010.2.22)
【手続補正１】
【補正対象書類名】特許請求の範囲
【補正対象項目名】請求項２
【補正方法】変更
【補正の内容】
【請求項２】
請求項１記載の吐出口内部に回転自在かつケースＡ部軸方向でケースＡ部内に、その移動量を制限する受け座まで移動可能な弾力性を持ったボールを配置し、筆圧により生じる吐出口とボールとの粉末状物質の粒子径よりも大きな隙間、あるいは単純に吐出口とボールとの隙間より、加圧状態の特殊液等を塗布することを特徴とする請求項１の特殊液用筆記体。